(57)【要約】【課題】放射線技師を効率よく各撮影室に配置すると共に、それら撮影室の利用状況を容易に把握することができるスケジュール管理システムを提供する。【解決手段】撮影室又はモダリティと、検査を行う技師と日付とを関連付けて記憶したスケジュール情報データベース２３とを参照して、撮影室又はモダリティと、日付とを項目としたマトリックス状のスケジュール表を表示する表示手段と、技師の情報を記憶した技師データベース５を参照して、前記スケジュール表に割り当てる技師の候補を求めて表示する候補提示手段２４とを備えることを特徴とする。【選択図】図１
2004157877.tif 000002
【特許請求の範囲】
【請求項１】
少なくとも検査を担当する技師に関する情報を記憶した技師データベース及び患者の診断予定日に関する情報を記憶した患者予約データベースとネットワークを介して通信可能に接続され、撮影室又はモダリティと技師と及び日付とを関連付けてなるスケジュール情報を記憶したスケジュール情報データベースに基づいて、撮影室又はモダリティと日付とを項目としたマトリックス状のスケジュール表を作成するスケジュール表作成手段と、前記技師データベースの所定の情報に基づいて複数の技師を抽出し、その複数の技師の中から前記スケジュール表内に含ませる技師を選択可能とする候補提示手段と、スケジュール表を表示する表示手段とを備えることを特徴とするスケジュール管理システム。
【請求項２】
少なくとも検査を担当する技師に関する情報を記憶した技師データベース及び患者の診断予定日に関する情報を記憶した患者予約データベースとネットワークを介して通信可能に接続され、撮影室又はモダリティと技師と及び日付とを関連付けてなるスケジュール情報を記憶したスケジュール情報データベースに基づいて、撮影室又はモダリティと日付とを項目としたマトリックス状のスケジュール表を作成し、そのスケジュール表内に含ませる技師を前記技師データベースの所定の情報に基づいて抽出するスケジュール表作成手段と、前記スケジュール表を表示する表示手段とを備えることを特徴とするスケジュール管理システム。
【請求項３】
前記スケジュール表作成手段が、前記患者予約データベースに記憶した情報に基づいて患者の診断予定人数に関する情報を前記スケジュール表内に含めることを特徴とする請求項１又は２に記載のスケジュール管理システム。
【請求項４】
前記ネットワークに撮影室又はモダリティと保守の予定日とを関連付けた保守予定情報を記憶した保守予定情報データベースが送受信可能に接続され、前記スケジュール表作成手段が、前記保守予定情報データベースに記憶された情報に基づいて、撮影室又はモダリティの保守予定に関する情報を前記スケジュール表内に含めることを特徴とする請求項１又は２に記載のスケジュール管理システム。
【請求項５】
前記所定の情報は、技師とその技師が所定の検査項目に対して有する専門性に関する情報とを関連づけた情報であることを特徴とする請求項１又は２に記載のスケジュール管理システム。
【請求項６】
検査を行う技師と日付とを関連付けて記憶したスケジュール情報データベース及び技師の情報を記憶した技師データベースを有し、
撮影室又はモダリティと前記スケジュール情報データベースに記憶された情報に基づいて、撮影室又はモダリティと日付とを項目としたマトリックス状のスケジュール表を表示する表示手段と、
前記技師データベースに記憶された情報に基づいて、前記スケジュール表に割り当てる技師の候補を求めて表示する候補提示手段とを備えたことを特徴とするスケジュール管理システム。
【発明の詳細な説明】
【０００１】
【発明の属する技術分野】
本発明は、医療施設における技師の勤務スケジュールを管理するためのスケジュール管理システムに関する。
【０００２】
【従来の技術】
従来、病院等医療施設において、医師、看護師、放射線技師等の勤務状況を管理するシステムが知られている。（例えば、特許文献１参照。）
【０００３】
【特許文献１】
特開２００２−１４９９２９号公報（段落〔００１１〕−〔００２４〕、第６図）
【０００４】
【発明が解決しようとする課題】
前記特許文献１に開示されている勤務管理システムは、勤務者と勤務日をマトリックス状にした勤務表を表示して勤務管理を行うものである。しかしながら、このような表示方法では検査室又はモダリティ（Ｘ線診断装置、Ｘ線ＣＴ装置、核磁気共鳴画像診断装置、超音波画像診断装置、核医学診断装置、内視鏡装置）と技師との関係が分かり難く、スケジュールの作成が困難であった。特に病院内の放射線技師のような流動的なスケジュール管理を必要とする業種に適切にかつ効率的な管理を行うことが困難であった。
また、従来のスケジュール管理システムでは、機器管理システムとの連係が行われておらず、機器の保守管理予定を考慮してスケジュール作成を行うことが困難であった。
【０００５】
本発明は上記問題点を鑑みてなされたものであり、本発明の目的は、放射線技師を効率よく各撮影室に配置すると共に、各撮影室に配置されたモダリティの利用状況を容易に把握することができるスケジュール管理システムを提供することである。
【０００６】
【課題を解決するための手段】
上記課題を解決するための、請求項１記載の発明は、少なくとも検査を担当する技師に関する情報を記憶した技師データベース及び患者の診断予定日に関する情報を記憶した患者予約データベースを有するネットワークに相互に送受信可能に接続され、撮影室又はモダリティと技師と及び日付とを関連付けてなるスケジュール情報を記憶したスケジュール情報データベースに基づいて、撮影室又はモダリティと日付とを項目としたマトリックス状のスケジュール表を作成するスケジュール表作成手段と、前記技師データベースの所定の情報に基づいて複数の技師を抽出し、その複数の技師の中から前記スケジュール表内に含ませる技師を選択可能とする候補提示手段と、スケジュール表を表示する表示手段とを備えることを特徴とする。
【０００７】
上記課題を解決するための、請求項２記載の発明は、少なくとも検査を担当する技師に関する情報を記憶した技師データベース及び患者の診断予定日に関する情報を記憶した患者予約データベースを有するネットワークに相互に送受信可能に接続され、撮影室又はモダリティと技師と及び日付とを関連付けてなるスケジュール情報を記憶したスケジュール情報データベースに基づいて、撮影室又はモダリティと日付とを項目としたマトリックス状のスケジュール表を作成し、そのスケジュール表内に含ませる技師を前記技師データベースの所定の情報に基づいて抽出するスケジュール表作成手段と、前記スケジュール表を表示する表示手段とを備えることを特徴とする。
【０００８】
上記課題を解決するための、請求項３記載の発明は、請求項１又は２に記載のスケジュール管理システムにおいて、前記スケジュール表作成手段が、前記患者予約データベースに記憶した情報に基づいて患者の診断予定人数に関する情報を前記スケジュール表内に含めることを特徴とする。
【０００９】
上記課題を解決するための、請求項４記載の発明は、請求項１又は２に記載のスケジュール管理システムにおいて、前記ネットワークに撮影室又はモダリティと保守の予定日とを関連付けた保守予定情報を記憶した保守予定情報データベースが送受信可能に接続され、前記スケジュール表作成手段が、前記保守予定情報データベースに記憶された情報に基づいて、撮影室又はモダリティの保守予定に関する情報を前記スケジュール表内に含めることを特徴とする。
【００１０】
上記課題を解決するための、請求項５記載の発明は、請求項１又は２に記載のスケジュール管理システムにおいて、前記所定の情報は、技師とその技師が所定の検査項目に対して有する専門性に関する情報とを関連づけた情報であることを特徴とする。
【００１１】
上記課題を解決するための、請求項６記載の発明は、検査を行う技師と日付とを関連付けて記憶したスケジュール情報データベース及び技師の情報を記憶した技師データベースを有し、
撮影室又はモダリティと前記スケジュール情報データベースに記憶された情報に基づいて、撮影室又はモダリティと日付とを項目としたマトリックス状のスケジュール表を表示する表示手段と、前記技師データベースに記憶された情報に基づいて、前記スケジュール表に割り当てる技師の候補を求めて表示する候補提示手段とを備えたことを特徴とする。
【００１２】
【発明の実施の形態】
以下、本発明の実施の形態について説明する。
【００１３】
図１は、本発明に係るスケジュール管理システムの一実施の形態における構成を示すブロック図である。
【００１４】
図１に示すように、本実施形態におけるスケジュール管理システム１は、スケジュール管理サーバ２と、保守管理サーバと、病院情報システムのサーバと、放射線部門情報システムのサーバと、スケジュール情報の表示、入力等を行うための端末装置を備えており、各サーバ及び装置は病院内のＬＡＮ（ローカルエリアネットワーク）により接続される。
【００１５】
保守管理サーバは、各モダリティと保守予定日を対応付けて記憶した保守予定データベースを備えている。病院情報システムのサーバは、病院全体の患者の予約情報を記憶した患者予約データベースと、病院全体の勤務者の勤務情報を記憶した勤務管理データベースを備えている。
【００１６】
放射線部門情報システムのサーバは、撮影室とその撮影室に設置されたモダリティと検査種別（ＣＴ検査、ＭＲＩ検査、超音波検査等）を関連づけてなる情報を蓄積した撮影室データベース３と、その撮影室データベース３のモダリティに関する情報と被検者の検査項目とに基づいて作成された撮影室又はモダリティ毎の経時的な患者（被検者）の放射線科の予約情報を蓄積した放射線科予約データベース４と、技師（医師、技師、看護婦等の検査担当者）と専門モダリティの種別とを関連づける所定の情報を蓄積した技師データベース５とを備えている。放射線科予約データベースは、前述の患者予約データベースを基にし、放射線科の業務特有の情報を付加して生成される。
【００１７】
前記スケジュール管理サーバ２は、前記撮影室データベース３、放射線科予約データベース４、技師データベース及び保守予約データベースに蓄積された各種情報を送受信可能な通信手段２１と、前記モダリティ又は検査室に関する情報、放射線科の予約情報、検査者担当者に関する情報に基づいてスケジュール表を作成するスケジュール情報作成手段２２と、前記モダリティ又は検査室に関する情報、技師及び日時の情報を関連付けたスケジュール情報データベース２３と、スケジュール表を表示する表示手段６とを有してなる。
【００１８】
また、前記スケジュール管理サーバ２には、前記技師データベースを参照して求められた複数の候補のリストを表示し、そのリストの中から選択された技師を前記スケジュール表内に表示する候補提示手段が設けられる。この候補提示手段が設けられることにより、自動的に技師が割り当てられるのではなく、所定の条件によって抽出された技師の候補から任意の技師を選択する余地が与えられる。尚、この技師の割当ては、スケジュール表の全ての位置に技師を一括で割り当てた後、操作者が必要に応じて修正できるようにしても良い。
【００１９】
スケジュール情報作成手段２２は、通信手段２１を介して予約データベース４及び技師データベース５から得られた情報に基づいてスケジュール情報を作成する手段である。具体的にそのプロセスを説明すると、
▲１▼スケジュール情報作成手段２２が通信手段２１を介して予約データベース４に蓄積された情報として、撮影室、日時、時間帯及び被検者の人数について集計された予約マスタテーブルをスケジュール情報データベース２３に一時的に保存する。
▲２▼スケジュール情報作成手段２２が通信手段２１を介して技師データベース５に蓄積された情報として技師マスタテーブルを参照する。この技師マスタテーブルは例えば、技師名とその技師の専門分野、すなわちモダリティの種別に対してどの程度の習熟度を持ち合わせているかを示す項目とが関連づけられている。この項目は１つに限らず複数あってよい。１人の技師が複数の項目について様々なスキルを持ち合わせている場合もあるからである。
▲３▼前記技師マスタテーブルにはパラメータとしてモダリティが特定されているので、そのモダリティをキーにして前記予約テーブルの予約人数と習熟度とを関連づけて一時的に保存された予約マスタテーブルに技師を割り当ててスケジュール情報が作成される。前記予約人数と習熟度とを関連づけは、例えば予約人数が多ければそれに応じた習熟度の高い技師を割り当てるようにして行われる。
▲４▼作成されたスケジュール情報はスケジュール情報データベースに蓄積され、スケジュール管理サーバに送受信可能に接続された端末から閲覧が可能とされる。また、モダリティの修繕等、必要に応じて前記スケジュール情報を更新することも可能とされる。
【００２０】
ここで、前記予約マスタテーブルに対して技師を割り当てる方法としては、１つの撮影室における所定の時間帯又は終日の被検者の人数に応じて、技師の習熟度（スキル）を整合させるものである。また、複数の技師による任意のグループ分けが予めなされている場合、前記人数に応じて前記グループを割り当ててもよい。
【００２１】
また、スケジュール情報データベース２３は、前記スケジュール情報作成手段２２によって作成されたスケジュール情報を蓄積するものであり、そのスケジュール情報がスケジュール管理サーバ２に対して相互に送受信可能とされた端末から閲覧可能とされることが望ましい。
【００２２】
次に、前記撮影室データベース３、予約データベース４及び技師データベース５の構成について以下に説明する。
【００２３】
（撮影室データベース）
撮影室データベース３は、医療施設内の各撮影室及びそれらの撮影室にどのような種類のモダリティが設置されているかが撮影室マスタテーブルとして蓄積されている。具体的には、前記撮影室マスタテーブルは、図２（ａ）に示すように、各撮影室を列挙した行と、モダリティ及び係るモダリティの種類について列挙した列からなり、関連づけられている。
【００２４】
（放射線科予約データベース）
放射線科予約データベース４は、被検者の検査項目によって特定されたモダリティの種別をパラメータとして、前記撮影室データベースに蓄積された撮影室マスタテーブル及び被検者が検査を受けるのに適切な時間帯により作成された予約マスタテーブルが蓄積されている。予約マスタテーブルは具体的には、図２（ｂ）に示すように、各撮影室を列挙した行と、日付、開始時間及び終了時間からなる予約時間、当該日付又は時間帯における人数及び定員について列挙した列からなり、関連づけられている。
【００２５】
（技師データベース）
技師データベース５は、それぞれの技師のＩＤ、氏名、職種及び専門性に関する情報が技師マスタテーブルとして蓄積されている。具体的には、前記技師マスタテーブルは、図３（ａ）に示すように、各技師を列挙した行と、その技師に関する情報、特に１つだけではなく、複数の種別について列挙した列からなり、関連づけられている。
（保守予定情報データベース）
保守予定情報データベースは、モダリティと保守予定日を関連付けて記憶している。保守予定は、例えば、病院外部のサービスセンタからネットワークを介して設定することができる。また、スケジュール表を表示する際には、保守予定情報データベースを参照して保守予定日が該当するモダリティの欄に表示される。
【００２６】
以上に説明した撮影室データベース３、放射線科予約データベース４、技師データベース５及び保守予定情報データベースは、従前の医療施設内に敷設されたものでよい。すなわち、本発明に係るスケジュール管理システムは、これらのデータベースに前記スケジュール管理サーバが接続されてなることが要件であって、前記４つのデータベースから得られた各種情報を用いてスケジュール管理サーバが効率的な管理スケジュールを構築することに本願発明の目的があるからである。
【００２７】
次に、本発明に係るスケジュール管理システムの一実施の形態における動作について以下に説明する。図４は本発明の一実施の形態における動作を示すフローチャートである。
【００２８】
まず、検査を受ける被検者は、自らが受ける検査項目によってモダリティが特定されるので、被検者、前記モダリティに関連づけられた撮影室及び時間帯からなる予約マスタテーブルが作成され（Ｓ１）、その予約マスタテーブルが予約データベース４に蓄積される。
【００２９】
次に、予約データベースに蓄積された予約マスタテーブルの各項目につき、予約管理が必要なモダリティか否かを判別する（Ｓ２）。ここで、予約管理が必要なモダリティか否かを判別とは、Ｘ線撮影装置のように、短時間で撮影が完了するため、１台のモダリティにつき予約管理をすることが不適切なモダリティと、ＣＴやＭＲＩのように、２０〜３０分ほどの撮影（検査）時間を必要とし、予約管理が必要なモダリティとに分類することである。
【００３０】
従って、予約管理が不必要なモダリティについては（Ｓ２−Ｎｏ）、各撮影室につき、１日あたりの被検者数が表示され、予約管理が必要なモダリティについては、各撮影室につき、所定時間毎に被検者が割り振られた予約マスタテーブルが作成される（Ｓ２−Ｙｅｓ）。
【００３１】
その後、予約管理が必要な検査項目、すなわちモダリティであり、そのモダリティについて撮影室の予約がなされている場合（Ｓ５−Ｙｅｓ）には、予約が不要な検査項目と同様に、予約マスタテーブルに設定された撮影室、時間帯及び被検者数のうち、所定時間帯毎の被検者数に基づき、技師データベースに蓄積された技師マスタテーブルから担当する技師を抽出する。技師マスタテーブルは、技師毎に職種と、１つ以上の専門性を示した項目が関連づけられている。この専門性を示した項目は、具体的にはモダリティの種別に対する習熟度を示しているので、前記予約マスタテーブルのモダリティをパラメータとして、撮影室毎の被検者数に応じた習熟度を有する技師を割り当てる（Ｓ３）。
【００３２】
この技師の割り当てに関しては、１つの撮影室又はモダリティにつき１人の技師を割り当てる必要はなく、モダリティの種別に対する習熟度を数値化して、複数の技師の数値化された習熟度を累積し、それに応じて大勢の被検者に割り当てることで、１つの撮影室（モダリティ）に複数の技師を割り当てることもできる。
【００３３】
このようにして撮影室、時間帯及び技師が関連づけられたスケジュール情報が図３（ｂ）に示すようなスケジュール管理テーブルとして、前記スケジュール情報データベースに蓄積される（Ｓ４）。このスケジュール管理テーブルは、図５に示すように、表示手段６によって表示させることもでき、スケジュール管理サーバに送受信可能に接続された端末からも閲覧可能とされる。
【００３４】
ここで、表示手段６によって表示されるスケジュール情報について図５を参照して以下に説明する。図５において、撮影室１〜２は予約管理を要しないモダリティであり、撮影室３〜５は予約管理を必要とするため、予約管理を必要とするモダリティを備えた撮影室３〜５の技師の欄には予約人数が表示される。
【００３５】
また、「９／２４（火）」の日付のＡＭ（午前）の撮影室１のＸ線撮影装置２には技師Ｂと技師Ｆが割り当てられ、技師Ｆは、同日撮影室４のＭＲＩにも割り当てられている。これは例えば、撮影室４の予約人数が少ないために、表示はされていないが１日の被検者数が多いとされる撮影室１に技師Ｆが割当てられているのである。さらに、「９／２５（水）」の日付のＡＭ（午前）の撮影室３のＣＴには技師Ａが割り当てられている。これは例えば、予約人数の多い（１５人）撮影室３に、習熟度の高い技師Ａを割当てたものである。
【００３６】
加えて、「９／２５（水）」の日付の夜間から「９／２６（木）」の日付のＡＭ（午前）にかけては、「保守」が割り当てられている。これは前述したように、保守予定情報データベースを参照して保守予定日をスケジュール表上に表示したものである。このように、保守予定情報がスケジュール表上に表示されるので該当する撮影室又はモダリティの状況を良好に把握できると共に、保守管理を含めたスケジュール作成を容易にすることができる。
【００３７】
本実施形態によれば、医療施設内において放射線技師のような流動的なスケジュール管理を必要とする業種に適切にかつ効率的なスケジュール管理を提供することができる。具体的には、１つの撮影室に複数の放射線技師を必要とする場合や、複数の撮影室を１人の放射線技師が担当するようなスケジュール管理を効率的に行うことができる。尚、ここでいう撮影室データベース、予約データベース及び技師データベースは医療施設内に設置される各データベースを利用することで代替でき、そのようなデータベースに格納された情報資源を利用することによって、例えば、あるモダリティに修繕の必要が生じた場合にその情報に基づいてスケジュール管理を行うことができる。
【００３８】
また、モダリティの種別に対する各技師の習熟度（スキル）をパラメータとして前記予約情報に技師を割り当てることによって、適切にスケジュール管理を行うことができると共に、放射線技師のスケジュール特有の１対多又は多対１のスケジュールを効率よく実現することができる。
【００３９】
ここで、前記予約管理が必要な検査項目について撮影室の予約がなされていなかった場合（Ｓ５−Ｎｏ）には、撮影室と技師との経時的なマッチングを行うことができないので、本発明の他の実施の形態として前記予約マスタテーブルに蓄積された情報の撮影室に関する情報を技師の情報と代替してもよい。尚、このとき技師と技師が従事できる時間帯とを関連づけた技師スケジュールテーブルを技師マスタテーブル内又は新たなテーブルとして設定する必要がある。このようにすることで、モダリティをパラメータとして技師のスケジュールと被検者と撮影室とを最適にマッチングさせているので、流動的な放射線技師のスケジュールを効率的に管理することができる。
【００４０】
【発明の効果】
以上説明したように、本願発明に係るスケジュール管理システムによれば、各撮影室又はモダリティに対する技師の割当て状況を良好に把握でき、スケジュールを容易に作成し、表示することができる。
【図面の簡単な説明】
【図１】本発明の一実施の形態における構成を示すブロック図である。
【図２】本発明のスケジュール情報作成手段が用いる撮影室マスタテーブル及び予約マスタテーブルの内容を示す図である。
【図３】本発明のスケジュール情報作成手段が用いる技師マスタテーブル及び前記スケジュール情報作成手段によって作成されたスケジュール管理テーブルの内容を示す図である。
【図４】本発明の一実施の形態における動作を示すフローチャートである。
【図５】本発明の一実施の形態において表示される放射線技師のスケジュール情報を示す図である。
【符号の説明】
１  スケジュール管理システム
２  スケジュール管理サーバ
３  撮影室データベース
４  予約データベース
５  技師データベース
２１  通信手段
２２  スケジュール情報作成手段
２３  スケジュール情報データベース
２４  候補提示手段
【図１】
2004157877.tif 000003
【図２】
2004157877.tif 000004
【図３】
2004157877.tif 000005
【図４】
2004157877.tif 000006
【図５】
2004157877.tif 000007